(57)【要約】【課題】回転キーが確実に動作する携帯電子機器を提供すること。【解決手段】本発明の携帯電子機器は、基板と、前記基板の上方に位置する第１カバーと、前記第１カバーの上方に位置する第２カバーと、前記第１カバーと前記第２カバーとの間に位置する隙間と、前記第１カバーと前記第２カバーとに設けられた穴と、前記基板に固定され、前記穴に配置される回転キーと、を備える。【選択図】図１
2010157868.tif 000002
【特許請求の範囲】
【請求項１】
基板と、
前記基板の上方に 位置する第１カバーと、
前記第１カバーの上方に位置する第２カバーと、
前記第１カバーと前記第２カバーとの間に位置する隙間と、
前記第１カバーと前記第２カバーとに設けられた穴と、
前記基板に固定され、前記穴に配置される回転キーと、
を備える携帯電子機器。
【請求項２】
前記基板は、さらに、液晶表示部を備え、
前記液晶表示部の一部は、前記第１カバーで覆われている請求項１に記載の携帯電子機器。
【請求項３】
前記隙間の一部または全部に吸水部材が設けられたことを特徴とする請求項１または請求項２に記載の携帯電子機器。
【請求項４】
前記第２のカバーと前記回転キーとの間の距離は、前記第１のカバーと前記回転キーとの間の距離よりも狭いことを特徴とする請求項１から請求項３のいずれか１項に記載の携帯電子機器。
【発明の詳細な説明】
【技術分野】
【０００１】
本発明は、回転キーを備える携帯電子機器に関する。
【背景技術】
【０００２】
従来、下筐体に備えられた連結部に沿って移動する上筐体に、使用者が携帯電子機器を操作するための回転キーが備えられているスライド式携帯電子機器が知られている（例えば、特許文献１）。
【０００３】
図５は、従来のスライド式携帯電子機器８００（以下、携帯電子機器８００と記載）の正面視した図を示す。図５に示すように、携帯電子機器８００は、下筐体８０１と、下筐体８０１に備えられた連結部（図示せず）を介して下筐体８０１に対してスライドする上筐体８０２と、を備える。
【０００４】
携帯電子機器８００の使用者は、上筐体８０２に備えられた回転キー８０５の回転（図５の矢印Ａ）動作により、液晶表示部８０４に表示される携帯電子機器８００の各種機能を選択できる。また、携帯電子機器８００の使用者は、下筐体８０１の側面に設けられたスイッチ８０３を押下すると、上筐体８０２が下筐体８０１に対してスライドする。
【０００５】
次に、図６を参照して、上筐体８０２の構成を説明する。図６は、図５のVI―VI線の断面図を示す。図６において、Ｘ軸（略鉛直方向）が上下方向となる。図６に示すように、上筐体８０２は、下カバー８０８と、下カバー８０８の上面８０８Ａに固定され、上面８０７Ｂにキースイッチ８０７Ａを備える基板８０７と、キースイッチ８０７Ａに固定されるキーシート８１３と、キーシート８１３の上面８１３Ａに固定される回転キー８０５と、上カバー８０６と、を備える。上カバー８０６が下カバー８０８と基板８０７及びキーシート８１３を挟持することで、上筐体８０２が構成されている。
【０００６】
回転キー８０５は、キーシート８１３の上面８１３Ａに固定されるベース板部８０５Ａと、ベース板部８０５Ａの上面８０５Ａ’に配置され、ベース板部８０５Ａに対して略水平方向で３６０度回転可能な、略円筒形の回転部８０５Ｂと、確定キー８０５Ｃと、を備える。回転部８０５Ｂは中空になっている。その中空となっている部分には、キーシート８１３の上面８１３Ａに固定される略円筒形の確定キー８０５Ｃが設けられている。回転部８０５Ｂ及び確定キー８０５Ｃは、上カバー８０６まで延出している。回転部８０５Ｂ及び確定キー８０５Ｃの上面は、上カバー８０６に設けられた穴８０６Ａから露出している。
携帯電子機器８００の使用者は、回転部８０５Ｂの上面８０５Ｂ’を押さえて、回転キー８０５の回転部８０５Ｂを略水平方向で３６０度回転させることができる。この回転動作による押圧力は、ベース板部８０５Ａ、キーシート８１３を介して、基板８０７上のキースイッチ８０７Ａに伝達され、基板上に備えられた電子部品（例えば、圧力センサ）等で電気信号に変換される。そして、携帯電子機器８００の使用者は、回転キー８０５の回転動作により、液晶表示部８０４に表示される携帯電子機器８００の各種機能を選択できる。また、携帯電子機器８００の使用者は、確定キー８０５Ｃの上面を押下することで、回転キー８０５によって選択された携帯電子機器８００の各種機能を確定し、携帯電子機器８００に確定した機能を実行させることができる。
【０００７】
ここで、図６に示すように、回転部８０５Ｂと上カバー８０６との間には、回転部８０５Ｂの全周面に亘って、回転キー８０５の回転部８０５Ｂを回転させるための隙間が存在する。この隙間は、穴８０６Ａに回転キー８０５が配置され時に形成される回転キー８０５と上カバー８０６との間の隙間のことをいう。そのため、携帯電子機器８００の使用者が、回転部８０５Ｂの上面に粘性のある液体（以下、液体と記載）をこぼすと、液体は、回転部８０５Ｂの周面と上カバー８０６の側面との間の隙間から、上筐体８０２の内部に侵入する。そして、上筐体８０２の内部に侵入した液体は、図６に示す矢印Ａのように、上カバー８０６とキーシート８１３との隙間Ａに流れ込んでいく。
【０００８】
【特許文献１】特開２００１−２９２２１３号公報
【発明の開示】
【発明が解決しようとする課題】
【０００９】
しかしながら、粘性のある液体の一部は、上筐体８０２の内部で、回転キー８０５の周辺に留まり固着してしまう。ここで、回転キー８０５の周辺とは、ベース板部８０５Ａと回転部８０５Ｂとの境界部分や、回転部８０５Ｂの全周面やその周面の一部等をいう。粘性のある液体が、回転キー８０５の周辺に留まって、上カバー８０６やキーシート８１３と回転キー８０５を連結して固着すると、回転キー８０５の回転部８０５Ｂが回転しなくなり、回転キー８０５が動作しなくなる。さらに、粘性のある液体が、キーシート８１３の下方にある基板８０７まで到達すると、基板８０７の電子部品等を電気的につなぐ経路が短絡する恐れもある。そのため、携帯電子機器８００の使用者は、回転キー８０５を回転させて、携帯電子機器８００の各種機能を選択できなくなる。
【００１０】
本発明の目的は、回転キーが確実に動作する携帯電子機器を提供することである。
【課題を解決するための手段】
【００１１】
本発明は、基板と、前記基板の上方に位置する第１カバーと、前記第１カバーの上方に位置する第２カバーと、前記第１カバーと前記第２カバーとの間に位置する隙間と、前記第１カバーと前記第２カバーとに設けられた穴と、前記基板に固定され、前記穴に配置される回転キーと、を備える携帯電子機器を提供する。
【００１２】
上記携帯電子機器において、前記基板は、さらに、液晶表示部を備え、前記液晶表示部の一部は、前記第１カバーで覆われている。
上記携帯電子機器において、前記隙間の一部または全部に吸水部材が設けられている。
上記携帯電子機器において、前記第２のカバーと前記回転キーとの間の距離は、前記第１のカバーと前記回転キーとの間の距離よりも狭い。
【発明の効果】
【００１３】
本発明に係る携帯電子機器によれば、回転キーが確実に動作する。
【発明を実施するための最良の形態】
【００１４】
以下、本発明の実施の形態について、図面を参照して説明する。
【００１５】
図１は、本発明の実施の形態の携帯電子機器１００を正面視した図である。図１に示すように、携帯電子機器１００は、下筐体１０１と、下筐体１０１に備えられた連結部（図示せず）を介して下筐体１０１に対してスライドする上筐体１０２と、を備える。
【００１６】
携帯電子機器１００の使用者は、上筐体１０２に備えられた回転キー１０３（本発明でいう、回転キー）の回転動作により、液晶表示部１０４に表示される携帯電子機器８００の各種機能を選択できる。また、携帯電子機器１００の使用者は、回転キー１０３以外に、回転キー１０３の周辺の複数のボタン１０５と下筐体１０１のボタン１０６を押下することで、携帯電子機器１００の各種機能を選択できる。
【００１７】
次に、図２を参照して、上筐体１０２の構成を説明する。図２は、上筐体１０２の分解斜視図である。図２において、Ｘ軸（略鉛直方向）が上下方向となる。図２に示すように、上筐体１０２は、第１カバー１１１（本発明でいう、第１カバー）と、第２カバー１１２（本発明でいう、第２カバー）と、キーシート１１３と、基板１１４と、下カバー１１５とを、備える。上筐体１０２は、キーシート１１３及び基板１１４を、第１カバー１１１と下カバー１１５とで挟持する。
【００１８】
基板１１４は、下カバー１１５の上面１１５Ａに固定される。基板１１４は、その上面にキースイッチ１１４Ａや、携帯電子機器の各種機能を実現するための電子部品等が実装され、キーシート１１３を固定する部分や液晶（図示しない）を固定する部分などが設けられている。
【００１９】
キーシート１１３は、略円形の回転キー１０３（以下、回転キー１０３と記載）と、複数のボタン１０５と、を有する。キーシート１１３は、キースイッチ１１４Ａを介して、基板１１４に固定される。上筐体１０２が組み立てられると、回転キー１０３及び複数のボタン１０５は、第１カバー１１１及び第２カバー１１２に形成された穴から、第２カバー１１２まで延出する。携帯電子機器１００の使用者は、第２カバー１１２の上面から回転キー１０３及び複数のボタン１０５を操作することができる。
【００２０】
第１カバー１１１は、第１の部分１１１Ａと、保護カバー１１１Ｂと、を有する。第１の部分１１１Ａは、キーシート１１３の回転キー１０３及び複数のボタン１０５をはめ込むための複数の穴を有する。複数の穴のうち、図２に示す穴１１１Ｃ（本発明でいう、第１カバーに設けられた穴）から、回転キー１０３が延出する。各穴は、はめ込む回転キー１０３や複数のボタン１０５の形状とほぼ同じ形状に合わせて、第１の部分１１１Ａをくり抜くことで形成されている。保護カバー１１１Ｂは、基板１１４に固定される液晶を保護する。保護カバー１１１Ｂは、第１カバー１１１の一部である。ここで、第１カバー１１１は、回転キー１０３の上方（図２におけるX軸方向（略鉛直方向）、以下同じ） への抜け防止としての役割も果たしている。
【００２１】
第２カバー１１２は、第１カバー１１１の上方に位置し、第２隙間を介して第１カバー１１１の第１の部分１１１Ａを覆う。第２カバー１１２は、第１カバー１１１と同様に、キーシート１１３の回転キー１０３及び複数のボタン１０５をはめ込むための複数の穴を有する。複数の穴のうち、図２に示す穴１１２Ａ（本発明でいう、第２カバーに設けられた穴）から、回転キー１０３が延出する。各穴は、回転キー１０３及び複数のボタン１０５の形状とほぼ同じ形状に合わせて、第２カバー１１２の一部をくり抜くことで形成されている。
【００２２】
下カバー１１５は、基板１１４を固定する。下カバーと第１カバー１１１とで基板１１４を挟持することで、上筐体１０２が構成される。
【００２３】
図３は、上筐体１０２の上面の部分拡大図である。
図３に示すように、回転キー１０３が第２カバー１１２から露出している部分は、回転キー１０３の上面１０３Ｄであり、円形である。回転キー１０３の上面１０３Ｄと第２カバー１１２との間には、回転キー１０３が回転動作に必要な隙間がある。
携帯電子機器１００の使用者は、回転キー１０３の上面を押さえて、回転キー１０３を略水平方向に３６０度（図３の矢印Ａの方向）回転させる。
【００２４】
次に、上筐体１０２の断面において、回転キー１０３の周辺部分の様子を示す。図４は、図３のIV―IV線の断面図である。図４において、Ｘ軸（略鉛直方向）が上下方向となる。
図４に示すように、回転キー１０３は、ベース板部１０３Ａと、回転部１０３Ｂと、確定キー１０３Ｃと、を備える。確定キー１０３Ｃは、略円筒形であり、回転キー１０３の中心に位置する。確定キー１０３Ｃはキーシート１１３に固定される。
ベース板部１０３Ａは、キーシート１１３の上面１１３Ａに固定される。ベース板部１０３Ａは、略円筒形であるが、その中心部分が中空になっている。そして、中空になっている部分には確定キー１０３Ｃが位置する。ベース板部１０３Ａは、確定キー１０３Ｃの周面を囲んでいる。回転部１０３Ｂは、ベース板部１０３Ａの上面１０３Ａ’に固定される。回転部１０３Ｂは、ベース板部１０３Ａと同様、略円筒形であり、その中心部分が中空になっている。そして、中空になっている部分には、略円筒形の確定キー１０３Ｃが位置する。確定キー１０３Ｃは、キーシート１１３の上面１１３Ａに固定される。回転部１０３Ｂは、確定キー１０３Ｃの周面１０３Ｃ’を囲んでいる。
【００２５】
携帯電子機器１００の使用者が、回転部１０３Ｂの上面１０３Ｂ”を押圧し、回転部１０３Ｂを略水平方向で３６０度回転させることができる。この回転動作による押圧力は、ベース板部１０３Ａ及びキーシート１１３を介して、基板１１４に伝達され、基板１１４上に備えられた電子部品（例えば、圧力センサ）等で電気信号に変換される。そして、回転部１０３Ｂの回転動作により、液晶に表示される携帯電子機器１００の各種機能を選択できる。
また、携帯電子機器１００の使用者は、確定キー１０３Ｃの上面１０３Ｃ”を押下することで、回転部１０３Ｂによって選択された携帯電子機器１００の各種機能を確定し、携帯電子機器１００に確定した機能を実行させることができる。
【００２６】
ここで、図４に示すように、回転部１０３Ｂは、第１カバー１１１及び第２カバー１１２に設けられた穴１１１Ｃ、１１２Ａを介して、第２カバー１１２の上面１１２’まで略鉛直方向に延出する。回転部１０３Ｂの上面は、第２カバー１１２に設けられた穴１１２Ａから外部に露出している。そして、回転部１０３Ｂと第２カバー１１２との間には、回転部の１０３Ｂが回転するために必要な隙間が存在する。
【００２７】
ここで、図４の矢印Ｂで示すように、例えば携帯電子機器１００の使用者が回転部１０３Ｂの上面に粘性のある液体（以下、液体と記載）をこぼすと、液体が回転部１０３Ｂと第２カバー１１２との間の隙間Ｃから上筐体１０２の内部へ侵入する。
【００２８】
本発明の実施の形態１の携帯電子機器１００では、第１カバー１１１と第１カバー１１１の上方に位置する第２カバー１１２との間に隙間Ｂ（本発明でいう、第１カバーと第２カバーとの間に位置する隙間）が存在している。そのため、回転部１０３Ｂと第２カバー１１２との間の隙間から上筐体１０２の内部へ侵入した液体のほとんどは、第２カバー１１２と第１カバー１１１との間の隙間Ｂに流れ込む。したがって、液体が回転キー１０３の周辺に留まらず、回転キー１０３が確実に動作する。
【００２９】
ここで、回転キー１０３の周辺とは、ベース板部１０３Ａと回転部１０３Ｂとの境界部分や、回転部１０３Ｂの全周面やその周面の一部等のことである。言い換えると、上筐体１０２の構成のうち、液体が固着すると回転キー１０３が回転しなくなる部分である。
【００３０】
また、第２カバー１１２と第１カバー１１１との間の隙間Ｂに流れ込まなかった液体の量はわずかであり、回転キー１０３が動作しなくなることはない。さらに、第２カバー１１２と第１カバー１１１との間の隙間Ｂに流れ込まなかった液体は、わずかなので、キーシート１１３の下方の基板１１４まで到達し、基板１１４の電子部品を電気的に接続する経路を短絡する恐れもない。
また、図４に示すように、略水平方向において、前記第２のカバー１１２と前記回転キー１１３との間の距離Ｃは、前記第１のカバー１１１と前記回転キー１１３との間の距離Ｄよりも狭くなっている。この構成により、上方から第１カバー１１１を見せないようにすることでデザイン性の向上が図れるとともに、上方からの液体を積極的に隙間Ｂへ導くことが可能となる。
【００３１】
上述のように、本発明の実施の形態に係る携帯電子機器は、液体が携帯電子機器内に侵入しても、粘性のある液体が回転キーの周辺にとどまらない。また、本発明の実施の形態に係る携帯電子機器では、液体が基板まで到達しないので、基板の電気的な経路が短絡することはない。そのため、本発明の実施の形態に係る携帯電子機器は、確実に回転キーを動作させることができる。
【００３２】
なお、本発明の実施の形態に係る携帯電子機器の形状は、特に限定されない。回転キーを備える携帯電子機器であれば、どのような形状の携帯電子機器であっても、本発明は適用可能である。
また、本発明の実施の形態に係る携帯電子機器において、回転キー１０３の形状は、円形として説明したが、これに限らない。回転キー１０３の形状は、回転可能な形状であれば、円形以外にも、楕円形、多角形、又は正多角形であっても良い。
また、上述した隙間Ｂの一部または全部に吸水ゲルや吸水シートのような吸水部材を設けてもよい。この構成により、隙間Ｂに流れ込む液体を積極的に排除することができる。
【産業上の利用可能性】
【００３３】
本発明に係る携帯電子機器は、回転キーが確実に動作するという効果を有し、携帯電話等に有用である。
【図面の簡単な説明】
【００３４】
【図１】本発明の実施の形態の携帯電子機器１００を正面視した図
【図２】上筐体１０２の分解斜視図
【図３】上筐体１０２の上面の部分拡大図
【図４】図３のIV―IV線の断面図
【図５】従来のスライド式携帯電子機器８００を正面視した図
【図６】図５のVI―VI線の断面図
【符号の説明】
【００３５】
１００、８００          携帯電子機器
１０１、８０１          下筐体
１０２、８０２          上筐体
１０３、８０５          回転キー
１０３Ａ、８０５Ａ      ベース板部
１０３Ｂ、８０５Ｂ      回転部
１０３Ｃ、８０５Ｃ      確定キー
１０４、８０４          液晶表示部
１０５                  複数のボタン
１０６                  ボタン
１１１                  第１カバー
１１１Ａ                第１の部分
１１１Ｂ                保護カバー
１１１Ｃ                穴
１１２                  第２カバー
１１２Ａ                穴
１１３                  キーシート
１１４、８０７          基板
１１５、８０８          下カバー
８０３                  スイッチ
８０６                  上カバー
【図１】
2010157868.tif 000003
【図２】
2010157868.tif 000004
【図３】
2010157868.tif 000005
【図４】
2010157868.tif 000006
【図５】
2010157868.tif 000007
【図６】
2010157868.tif 000008
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
基板と、
前記基板に設けられた液晶表示部と、
前記基板の上方に位置する第１カバーと、
前記第１カバーの上方に位置する第２カバーと、
前記第１カバーと前記第２カバーとの間に位置する隙間と、
前記第１カバーと前記第２カバーとに設けられた穴と、
前記基板に固定され、前記穴に配置される回転キーと、を備え、
前記第１カバーは、前記第２カバーが設けられる第１の部分と、前記液晶表示部を保護する第２の部分と、を有し、
前記第２のカバーと前記回転キーとの間の距離は、前記第１のカバーと前記回転キーと
の間の距離よりも狭い携帯電子機器。
【請求項２】
前記隙間の一部または全部に吸水部材が設けられたことを特徴とする請求項１に記載の携帯電子機器。
【手続補正２】
【補正対象書類名】明細書
【補正対象項目名】００１１
【補正方法】変更
【補正の内容】
【００１１】
本発明は、基板と、前記基板に設けられた液晶表示部と、前記基板の上方に位置する第１カバーと、前記第１カバーの上方に位置する第２カバーと、前記第１カバーと前記第２カバーとの間に位置する隙間と、前記第１カバーと前記第２カバーとに設けられた穴と、前記基板に固定され、前記穴に配置される回転キーと、を備え、前記第１カバーは、前記第２カバーが設けられる第１の部分と、前記液晶表示部を保護する第２の部分と、を有し、前記第２のカバーと前記回転キーとの間の距離は、前記第１のカバーと前記回転キーと
の間の距離よりも狭い携帯電子機器を提供する。
【手続補正３】
【補正対象書類名】明細書
【補正対象項目名】００１２
【補正方法】削除
【補正の内容】
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
基板と、
前記基板に設けられた液晶表示部と、
前記基板の上方に位置する第１カバーと、
前記第１カバーの上方に位置する第２カバーと、
前記第１カバーと前記第２カバーとの間に位置する隙間と、
前記第１カバーと前記第２カバーとに設けられた穴と、
前記基板に固定され、前記穴に配置される回転キーと、を備え、
前記第１カバーは、前記第２カバーが設けられる第１の部分と、前記液晶表示部を保護する第２の部分と、を有し、
前記第２カバーの前記回転キーと対向する面と前記回転キーの側面との間の距離は、前記第１カバーの前記回転キーと対向する面と前記回転キーの側面との間の距離よりも狭い携帯電子機器。
【請求項２】
前記隙間の一部または全部に吸水部材が設けられたことを特徴とする請求項１に記載の携帯電子機器。
【手続補正２】
【補正対象書類名】明細書
【補正対象項目名】００１１
【補正方法】変更
【補正の内容】
【００１１】
本発明は、基板と、前記基板に設けられた液晶表示部と、前記基板の上方に位置する第１カバーと、前記第１カバーの上方に位置する第２カバーと、前記第１カバーと前記第２カバーとの間に位置する隙間と、前記第１カバーと前記第２カバーとに設けられた穴と、前記基板に固定され、前記穴に配置される回転キーと、を備え、前記第１カバーは、前記第２カバーが設けられる第１の部分と、前記液晶表示部を保護する第２の部分と、を有し、前記第２のカバーの前記回転キーと対向する面と前記回転キーの側面との間の距離は、前記第１のカバーの前記回転キーと対向する面と前記回転キーの側面との間の距離よりも狭い携帯電子機器を提供する。